(57)【要約】【課題】  小型化が可能であり、鏡筒内に組み込むことができるようにその構造が改善された絞り駆動用モータと、絞り駆動装置と、これを有するカメラ装置を提供すること。【解決手段】  本発明の駆動用モータは、鏡筒内に組み込まれ、光路を提供するモータハウジングと；モータハウジングに支えられる固定子組立体と；固定子組立体の内側に回転自在に介在して絞りを連動させ、入射光が通る中孔を有する回転子とを含む。【選択図】      図２
2005208647.tif 000002
【特許請求の範囲】
【請求項１】
鏡筒内で入射光量を調節する絞りを駆動するための絞り駆動用モータにおいて、
前記鏡筒内に組み込まれ、光路を提供するモータハウジングと；
前記モータハウジングに支えられる固定子組立体と；
前記固定子組立体の内側に回転自在に介在して前記絞りを連動させ、入射光が通る中孔を有する回転子とを含むことを特徴とする絞り駆動用モータ。
【請求項２】
前記モータハウジングは、前記絞りを回動自在に支えることを特徴とする請求項１に記載の絞り駆動用モータ。
【請求項３】
前記回転子は、前記絞りを連動させるための駆動ピンを有することを特徴とする請求項１に記載の絞り駆動用モータ。
【請求項４】
前記モータハウジングは、前記絞りを回転自在に支えるための軸ボスと、前記駆動ピンの移動をガイドするガイド部とを有することを特徴とする請求項３に記載の絞り駆動用モータ。
【請求項５】
前記モータハウジングに結合され、前記軸ボス及び駆動ピンに支えられている絞りの分離を防止するハウジングカバーをさらに含むことを特徴とする請求項４に記載の絞り駆動用モータ。
【請求項６】
前記ハウジングカバーは、前記軸ボスに対応する結合孔と、前記ガイド部に対応して設けられ前記駆動ピンを支える支えスリットとを有することを特徴とする請求項５に記載の絞り駆動用モータ。
【請求項７】
前記駆動ピンは、複数個が前記光路を基準にして一定の間隔で配置されたことを特徴とする請求項３に記載の絞り駆動用モータ。
【請求項８】
前記駆動ピンは、前記回転子と一体で形成されたことを特徴とする請求項３に記載の絞り駆動用モータ。
【請求項９】
前記固定子組立体は、
外周にコイルが巻き付けられた中空型ボビンと；
前記ボビンの一方側に結合され、等間隔で配置される第１の係止爪を有する第１の固定子部材と；
前記第１の固定子部材に対応して前記ボビンの他方側に結合され、前記第１の係止爪と互い違いに配置される第２の係止爪を有する第２の固定子部材とを含むことを特徴とする請求項１に記載の絞り駆動用モータ。
【請求項１０】
前記モータハウジングは、前記固定子組立体の一方側を外囲して支え、前記光路を提供するための中孔を有する第１のハウジングと、前記固定子組立体を挟んで前記第１のハウジングに対応して設けられ、前記光路を提供するための中孔を有する第２のハウジングとを含むことを特徴とする請求項１に記載の絞り駆動用モータ。
【請求項１１】
前記回転子は、前記モータハウジングに回転自在に支えられることを特徴とする請求項１に記載の絞り駆動用モータ。
【請求項１２】
前記回転子の外周には軸受が収められる軸受収め溝が複数個形成され、前記モータハウジングには、前記軸受をガイドするガイド溝が形成されたことを特徴とする請求項１１に記載の絞り駆動用モータ。
【請求項１３】
前記回転子は、回転方向に沿って一定の間隔で極性が磁化しており、前記駆動ピンと一体で形成されたシリンダー状マグネットであることを特徴とする請求項３に記載の絞り駆動用モータ。
【請求項１４】
前記回転子は、
回転方向に沿って一定の間隔で極性が磁化しており、前記モータハウジングに回転自在に支えられるシリンダー状マグネットと；
前記マグネットの一端に結合され、前記固定子組立体の内側に回転自在に介在するスリーブ管と；
前記マグネットの一端に結合され、前記絞りを連動させる駆動ピンを有するプレートとを含むことを特徴とする請求項３に記載の絞り駆動用モータ。
【請求項１５】
前記駆動ピンは、前記プレートと一体で形成され、前記モータハウジングに移動自在に支えられることを特徴とする請求項１４に記載の絞り駆動用モータ。
【請求項１６】
前記絞りは、前記ハウジングに回転自在に組み付けられる複数のレンズシャッターを含むことを特徴とする請求項１に記載の絞り駆動用モータ。
【請求項１７】
前記モータハウジングに結合され、前記絞りの分離を防止するハウジングカバーをさらに含むことを特徴とする請求項１に記載の絞り駆動用モータ。
【請求項１８】
回転中心に沿って光路を提供する回転子と、前記回転子の外側に組み付けられた固定子組立体を有する駆動部と；
前記駆動部を収容し、前記光路を提供するモータハウジングと；
前記モータハウジングに取り外し自在に結合されるハウジングカバーとを含み、
前記回転子は、前記ハウジングカバーと前記モータハウジングとの間に介在する絞りを連動させて前記光路を開閉させることを特徴とする絞り駆動用モータ。
【請求項１９】
前記回転子は、前記ハウジングカバーと前記モータハウジングとの間に延在して前記回転子の回転時に前記絞りを連動させる少なくとも一つの駆動ピンを有することを特徴とする請求項１８に記載の絞り駆動用モータ。
【請求項２０】
鏡筒内の光路上に設けられ、移動位置によって入射光量を調節する絞りと；
前記絞りを駆動させるべく前記鏡筒内に組み込まれ、回転中心に沿って前記入射光を通らせる光路を提供する駆動ユニットとを含むことを特徴とする絞り駆動装置。
【請求項２１】
前記駆動ユニットは、
前記絞りを支え、前記鏡筒内に組み込まれるモータハウジングと；
前記モータハウジング内に組み込まれる固定子組立体と；
前記固定子組立体の内側に回転自在に介在して前記絞りを連動させる回転子とを含むことを特徴とする請求項２０に記載の絞り駆動装置。
【請求項２２】
前記回転子は、前記絞りを連動させるための少なくとも一つの駆動ピンを有することを特徴とする請求項２１に記載の絞り駆動装置。
【請求項２３】
前記モータハウジングは、前記絞りを回転自在に支えるための軸ボスと、前記駆動ピンの移動をガイドするガイド部とを有することを特徴とする請求項２２に記載の絞り駆動装置。
【請求項２４】
前記絞りは、前記モータハウジングに回動自在に組み付けられる複数のレンズシャッターを含むことを特徴とする請求項２２に記載の絞り駆動装置。
【請求項２５】
前記複数のレンズシャッターのそれぞれは、回転中心になる軸孔と、前記駆動ピンが挿通するカムスリットとを有することを特徴とする請求項２４に記載の絞り駆動装置。
【請求項２６】
前記カムスリットは、直線形に所定の長さにて形成されたことを特徴とする請求項２５に記載の絞り駆動装置。
【請求項２７】
前記カムスリットは、所定の長さにて曲線状をなして形成され、前記レンズシャッターは、前記回転子の単位回転角に比例して設定されたＦナンバーを有するように移動可能であることを特徴とする請求項２５に記載の絞り駆動装置。
【請求項２８】
前記レンズシャッターは、三つが前記光路を中心にして放射状に等間隔で回動自在に組み付けられ、
前記駆動ピンは、前記各レンズシャッターに対応して三つ設けられたことを特徴とする請求項２４に記載の絞り駆動装置。
【請求項２９】
前記モータハウジングに取り外し自在に結合され、該モータハウジングとの間に前記絞りを回動自在に支えるハウジングカバーをさらに含むことを特徴とする請求項２１に記載の絞り駆動装置。
【請求項３０】
レンズ鏡筒と；
前記レンズ鏡筒内に組み込まれるズームレンズモジュールと；
前記レンズ鏡筒内に組み込まれるフォーカシングレンズモジュールと；
前記ズームレンズモジュールと前記フォーカシングレンズモジュールとの間に動き自在に設けられ、移動位置によって入射光量を調節する絞りと；
前記レンズ鏡筒内に組み込まれて前記絞りを駆動し、中央に前記ズームレンズモジュールを透過した入射光を通らせる光路を提供する駆動ユニットとを含むことを特徴とするカメラ装置。
【請求項３１】
前記駆動ユニットは、
前記鏡筒内に組み込まれ、前記絞りを回動自在に支えるモータハウジングと；
前記モータハウジングの内側に組み込まれる固定子組立体と；
前記固定子組立体の内側に回転自在に介在し、前記絞りを連動させる回転子とを含むことを特徴とする請求項３０に記載のカメラ装置。
【請求項３２】
前記回転子は、前記絞りを連動させるための少なくとも一つの駆動ピンを有することを特徴とする請求項３１に記載のカメラ装置。
【請求項３３】
前記絞りは、前記モータハウジングに回動自在に組み付けられ、回動位置によって前記光路を開閉する複数のレンズシャッターを含むことを特徴とする請求項３２に記載のカメラ装置。
【請求項３４】
前記複数のレンズシャッターのそれぞれは、前記回転中心になる軸孔と、前記駆動ピンが挿通し連動するカムスリットとを有することを特徴とする請求項３３に記載のカメラ装置。
【請求項３５】
前記回転子は、前記モータハウジングに回転自在に支えられ、回転中心に沿って前記光路を提供する中孔を有することを特徴とする請求項３１に記載のカメラ装置。
【請求項３６】
前記回転子の中孔内には、前記ズームレンズモジュール及びフォーカシングレンズモジュールの少なくともいずれかが介在することを特徴とする請求項３５に記載のカメラ装置。
【請求項３７】
前記駆動ピンは、前記回転子の一端面に露出するようにインサート成形されてなることを特徴とする請求項３２に記載のカメラ装置。
【発明の詳細な説明】
【技術分野】
【０００１】
本発明は、映像情報を撮像及び記録／保存する撮像装置に係り、より詳しくは、絞りを駆動するためのモータ及び絞り駆動装置、並びにこれを含むカメラ装置に関する。
【背景技術】
【０００２】
映像情報の記録／再生装置の一例として、動画と静止画が撮像できるカムコーダーが広く普及されている。このカムコーダーは、カメラ装置と、信号変換装置と、撮像した映像を記録／再生するデッキ装置と、ディスプレイ装置等を備える。この種のカムコーダーは、主にカセットテープを記録媒体として使用し撮像した映像情報を記録するようになる。また、近年では、コンパクトな記録媒体、例えば、ハードディスクドライブを採用して小型化且つ軽量化した映像情報の記録／再生装置に関する研究が盛んに行われている。ハードディスクドライブを採用した記録／再生装置は、デッキ装置を不要とするため、小型化且つ軽量化が可能である。
【０００３】
一方、前記カメラ装置は、フォーカシングレンズとズームレンズ等がレンズ鏡筒内に設けられてなる一つの単位モジュールとして製品の本体内に組み込まれる。前記鏡筒には、前記フォーカシングレンズとズームレンズの駆動のためのモータが組み付けられる。
【０００４】
また、前記鏡筒内には、入射光量を調節するための絞りが組み付けられる。この絞りは、別の駆動モータにより移動しながら入射光量を調節するようになる。前記駆動モータは、前記鏡筒の外部に組み付けられて前記絞りを駆動する。
【０００５】
ところで、前記のような構成によれば、前記鏡筒の外部に複数の駆動モータが組み付けられ、特に、レンズ駆動モータまでも組み付けられるため、カメラ装置のサイズを低減するには限界がある。
【０００６】
また、通常、鏡筒の形状が円筒形であるのに対し、該鏡筒の外部に組み付けられる駆動モータにより角張った形状にてデザインするしかなく、この結果、カメラ装置が採用される製品を多様にデザインするのに多くの制約が伴うという問題点がある。
【発明の開示】
【発明が解決しようとする課題】
【０００７】
本発明は、前記のような問題点を解決するためになされたものであって、小型化が可能であり、鏡筒内に組み込むことができるようにその構造が改善された絞り駆動用モータと、絞り駆動装置と、これを有するカメラ装置を提供することにその目的がある。
【課題を解決するための手段】
【０００８】
前記目的を達成するための本発明の実施の態様による絞り駆動用モータは、鏡筒内で入射光量を調節する絞りを駆動するための絞り駆動用モータにおいて、前記鏡筒内に組み込まれ、光路を提供するモータハウジングと；前記モータハウジングに支えられる固定子組立体と；前記固定子組立体の内側に回転自在に介在して前記絞りを連動させ、入射光が通る中孔を有する回転子とを含むことを特徴とする。
【０００９】
ここで、前記モータハウジングは、前記絞りを回動自在に支えることがよい。
【００１０】
前記回転子は、前記絞りを連動させるための駆動ピンを有することがよい。
【００１１】
前記モータハウジングは、前記絞りを回転自在に支えるための軸ボスと、前記駆動ピンの移動をガイドするガイド部とを有することがよい。
【００１２】
前記モータハウジングに結合され、前記軸ボス及び駆動ピンに支えられている絞りの分離を防止するハウジングカバーをさらに含むことがよい。
【００１３】
前記ハウジングカバーは、前記軸ボスに対応する結合孔と、前記ガイド部に対応して設けられ前記駆動ピンを支える支えスリットとを有することがよい。
【００１４】
前記駆動ピンは、複数個が前記光路を基準にして一定の間隔で配置され、前記回転子と一体で形成されることがよい。
【００１５】
前記固定子組立体は、外周にコイルが巻き付けられた中空型ボビンと；前記ボビンの一方側に結合され、等間隔で配置される第１の係止爪を有する第１の固定子部材；及び前記第１の固定子部材に対応して前記ボビンの他方側に結合され、前記第１の係止爪と互い違いに配置される第２の係止爪を有する第２の固定子部材とを含むことを特徴とする。
【００１６】
前記モータハウジングは、前記固定子組立体の一方側を外囲して支え、前記光路を提供するための中孔を有する第１のハウジングと、前記固定子組立体を挟んで前記第１のハウジングに対応して設けられ、前記光路を提供するための中孔を有する第２のハウジングとを含むことがよい。
【００１７】
前記回転子は、前記モータハウジングに回転自在に支えられることがよい。前記回転子の外周には軸受が収められる軸受収め溝が複数個形成され、前記モータハウジングには、前記軸受をガイドするガイド溝が形成されることがよい。
【００１８】
前記回転子は、回転方向に沿って一定の間隔で極性が磁化しており、前記駆動ピンと一体で形成されたシリンダー状マグネットであることがよい。
【００１９】
前記回転子は、回転方向に沿って一定の間隔で極性が磁化しており、前記モータハウジングに回転自在に支えられるシリンダー状マグネットと；前記マグネットの一端に結合され、前記固定子組立体の内側に回転自在に介在するスリーブ管と；前記マグネットの一端に結合され、前記絞りを連動させる駆動ピンを有するプレートとを含むことがよい。
【００２０】
前記駆動ピンは、前記プレートと一体で形成され、前記モータハウジングに移動自在に支えられることがよい。
【００２１】
前記絞りは、前記ハウジングに回転自在に組み付けられる複数のレンズシャッターを含むことがよい。
【００２２】
前記モータハウジングに結合され、前記絞りの分離を防止するハウジングカバーをさらに含むことがよい。
【００２３】
前記目的を達成するための本発明の他の実施の態様による絞り駆動用モータは、回転中心に沿って光路を提供する回転子と、前記回転子の外側に組み付けられた固定子組立体を有する駆動部と；前記駆動部を収容し、前記光路を提供するモータハウジングと；前記モータハウジングに取り外し自在に結合されるハウジングカバーとを含み、前記回転子は、前記ハウジングカバーと前記モータハウジングとの間に介在する絞りを連動させて前記光路を開閉させることを特徴とする。
【００２４】
また、前記目的を達成するための本発明の絞り駆動装置は、鏡筒内の光路上に設けられ、移動位置によって入射光量を調節する絞りと；前記絞りを駆動させるべく前記鏡筒内に組み込まれ、回転中心に沿って前記入射光を通らせる光路を提供する駆動ユニットとを含むことを特徴とする。
【００２５】
前記駆動ユニットは、前記絞りを支え、前記鏡筒内に組み込まれるモータハウジングと；前記モータハウジング内に組み込まれる固定子組立体と；前記固定子組立体の内側に回転自在に介在して前記絞りを連動させる回転子とを含むことが好ましい。
【００２６】
前記回転子は、前記絞りを連動させるための少なくとも一つの駆動ピンを有することがよい。
【００２７】
前記モータハウジングは、前記絞りを回転自在に支えるための軸ボスと、前記駆動ピンの移動をガイドするガイド部とを有することがよい。
【００２８】
前記絞りは、前記モータハウジングに回動自在に組み付けられる複数のレンズシャッターを含むことがよい。
【００２９】
前記複数のレンズシャッターのそれぞれは、回転中心になる軸孔と、前記駆動ピンが挿通するカムスリットとを有することがよい。
【００３０】
前記カムスリットは、直線形に所定の長さにて形成されることがよい。前記カムスリットは、所定の長さにて曲線状をなして形成され、前記レンズシャッターは、前記回転子の単位回転角に比例して設定されたＦナンバーを有するように移動可能であることがよい。
【００３１】
前記レンズシャッターは、三つが前記光路を中心にして放射状に等間隔で回動自在に組み付けられ、前記駆動ピンは、前記各レンズシャッターに対応して三つ設けられることがよい。
【００３２】
前記モータハウジングに取り外し自在に結合され、該モータハウジングとの間に前記絞りを回動自在に支えるハウジングカバーをさらに含むことがよい。
【００３３】
前記目的を達成するための本発明のカメラ装置は、レンズ鏡筒と；前記レンズ鏡筒内に組み込まれるズームレンズモジュールと；前記レンズ鏡筒内に組み込まれるフォーカシングレンズモジュールと；前記ズームレンズモジュールと前記フォーカシングレンズモジュールとの間に動き自在に設けられ、移動位置によって入射光量を調節する絞りと；前記レンズ鏡筒内に組み込まれて前記絞りを駆動し、中央に前記ズームレンズモジュールを透過した入射光を通らせる光路を提供する駆動ユニットとを含むことを特徴とする。
【発明の効果】
【００３４】
以上で説明したような本発明のモータと、絞り駆動装置と、カメラ装置では、鏡筒内に組み込むことができるモータを用いてシャッターを駆動できるようになり、レンズシャッターを駆動するための構成が簡単になる。特に、モータを鏡筒の外部に組み付ける必要がないため、外部デザインの選択自由度が向上し、小型化が可能になる。
【００３５】
また、モータの回転子にレンズシャッターを直接連結して駆動することができるため、制御精度が向上し信頼性が高められる。
【発明を実施するための最良の形態】
【００３６】
以下、添付した図面を参照して、本発明の実施例による絞り駆動用モータと、絞り駆動装置と、カメラ装置について詳しく説明する。
【実施例１】
【００３７】
図１を参照するに、本発明の実施例によるカメラ装置は、レンズ鏡筒１０と、レンズ鏡筒１０の内部に組み込まれるズームレンズモジュール２０及びフォーカシングレンズモジュール３０と、入射光量を調節するための絞り４０と、絞り４０を駆動するためのモータ５０とを備える。
【００３８】
レンズ鏡筒１０は、円筒形状を有し、一対の鏡筒１１、１２が組み合わされてなる構造を有すればよい。そのうちの先端側の鏡筒１１の入口１１ａには、対物レンズモジュール１３が組み付けられる。後端側の鏡筒１２には、ＣＣＤモジュール（図示せず）を有する基板が組み付けられる。
【００３９】
ズームレンズモジュール２０は、レンズ鏡筒１０内を移動自在に組み込まれる。即ち、図示しない移動手段により入射光Ｌに平行な方向に所定の距離前・後進しながら被写体のズーミング動作を行う。
【００４０】
フォーカシングレンズモジュール３０は、レンズ鏡筒１０内を移動自在に組み込まれる。このフォーカシングレンズモジュール３０は、ズームレンズモジュール２０の後方に組み込まれ、被写体のフォーカシング動作を行うようになる。ここで、このフォーカシングレンズモジュール３０も図示しない移動手段により鏡筒１０内を入射光Ｌに平行な方向に所定の距離前・後進する。各モジュール２０、３０を移動させるための構成は、一般に知られている手段により実現可能である。例えば、鏡筒１０内にモジュール２０、３０を支えるガイドシャフトを設け、モジュール２０、３０は、モータにより回転する親ねじを用いて選択的に移動させることができるようになる。モジュール２０、３０の移動手段に関する更なる詳細は省くことにする。
【００４１】
絞り４０は、レンズ鏡筒１０内に組み込まれ、各モジュール２０、３０の間に挟まれる。この絞り４０は、レンズ鏡筒１０内に入射した光量を調節するためのものであって、入射光Ｌの入射方向と交差する方向に移動自在に設けられる。絞り４０については、後で詳細に説明する。
【００４２】
モータ５０は、レンズ鏡筒１０内に組み込まれる。本発明では、モータ５０は、一定の角度ずつ段階的に回転駆動力を提供することができるステッピングモータであることが好ましい。図２を参照するに、モータ５０は、固定子組立体５１と、モータハウジング６０と、固定子組立体５１の内側に組み付けられる回転子７０とを備える。
【００４３】
固定子組立体５１は、モータハウジング６０の内側に支えられる。この固定子組立体５１は、略リング状のボビン５２と、ボビン５２の両側に結合される第１及び第２の固定子部材５３、５４とを備える。
【００４４】
ボビン５２の外周にはコイル５２ａが巻き付けられている。コイル５２ａは、ボビン５２の外側に設けられた端子部５２ｂを介して外部端子に電気的に接続される。
【００４５】
第１及び第２の固定子部材５３、５４のそれぞれは、ボビン５２の両側に相互向かい合うようにして結合される。各固定子部材５３、５４は、円周方向に一定の間隔で設けられた係止爪５３ａ、５４ａをそれぞれ有する。各係止爪５３ａ、５４ａは、ボビン５２の内周に収められ、互い違いに一定に配置される。ボビン５２の内周には、係止爪５３ａ、５４ａが係合する溝５２ｃ、５２ｄが形成されている。各溝５２ｃ、５２ｄも互い違いに形成されている。コイル５２ａに電気信号が所定のパターンで入力されれば、各係止爪５３ａ、５４ａが電気信号の入力パターンに応じて磁化し電磁石になる。電磁石になる係止爪５３ａ、５４ａと回転子７０との間で発生する磁力により回転子７０が所定の単位角度ずつ回転できる。
【００４６】
回転子７０は、固定子組立体５１の内側に回転自在に組み付けられる。この回転子７０の中央には、入射光Ｌが通る中孔Ｈが形成される。従って、回転子７０は、回転軸を有さない。回転子７０の一端部には、絞り４０を連動させるための駆動ピン７１が複数個突設される。本実施例では、絞り４０が三つのレンズシャッター４１、４２、４３を備えることから、各レンズシャッター４１、４２、４３の数に相応して三つの駆動ピン７１が等間隔で設けられる。
【００４７】
本実施例で、回転子７０は、図３に詳しく示すように、シリンダー状のマグネット７３と、マグネット７３の両端にそれぞれ結合されるスリーブ管７５及びプレート７７を備える。マグネット７３は、回転方向に沿って一定の間隔でＮ極とＳ極が磁化されている。スリーブ管７５は、マグネット７３と同じシリンダー状をなしており、マグネット７３の一端部に結合される。このスリーブ管７５の外周には、複数の軸受収容溝７５ａが形成される。収容溝７５ａに軸受７８が収容された状態でモータハウジング６０の内側に当接して支えられる。プレート７７は、ドーナッツ状を有し、マグネット７３の他端に結合される。このプレート７７には、駆動ピン７１が突設される。この駆動ピン７１は、プレート７７の作製時にインサート成形法により設ければよい。駆動ピン７１は、モータハウジング６０に移動自在に支えられる。回転子７０は、内周の中央が空けられた状態であって、固定子組立体５１の内部に回転自在に介在される。
【００４８】
一方、回転子７０は、他の実施例としてマグネット７３とスリーブ管７５及びプレート７７を一体にして作製してもよい。この場合、回転子７０の全体がマグネット材質で作製され、駆動ピン７１も同時にインサート成形法により一体で形成させることができる。
【００４９】
モータハウジング６０は、レンズ鏡筒１０の内側に固定される。このモータハウジング６０は、固定子組立体５１を外囲して収容する第１のハウジング６１と、第２のハウジング６５とを備える。
【００５０】
第１のハウジング６１は、回転子７０の軸受７８を支える。この第１のハウジング６１は、具体的に図２及び図３に示すように、第２の固定子部材５４を覆うようにして第２のハウジング６５と組み合わされる。この第１のハウジング６１は、組み合わされる前・後ブラケット６２、６３に分けられて構成されればよい。各ブラケット６２、６３は別に作製され第２の固定子部材５４側に一緒に結合される。各ブラケット６２、６３の境には、軸受７８の移動をガイドするガイド溝が自然として設けられる。即ち、回転子７０の回転時、軸受７８は、各ブラケット６２、６３の境に沿ってガイドされながら回転子７０を支える。無論、各ブラケット６２、６３は、一体で形成してもよく、この場合、軸受７８のガイド溝は、一体で形成された第１のハウジングの内周に加工し形成すればよい。
【００５１】
第２のハウジング６５は、固定子組立体５１を挟んで第１のハウジング６１に結合される。第２のハウジング６５は、その中央に絞り４０により開閉する開閉孔６５ａを有する。開閉孔６５ａの周囲には、駆動ピン７１を動き自在に支えるガイドスリット６５ｂが複数個形成される。各ガイドスリット６５ｂは、回転子７０の回転角度に相応する長さにて形成される。駆動ピン７１は、ガイドスリット６５ｂに嵌められた状態で支えられ、回転子７０の回転時にガイドスリット６５ｂに沿って移動する。
【００５２】
また、第２のハウジング６５は、レンズシャッター４１、４２、４３のそれぞれが回転自在に支えられる軸ボス６５ｃを有する。各軸ボス６５ｃは、レンズシャッター４１、４２、４３の数に相応する数、即ち、三つ設けられる。軸ボス６５ｃは、開閉孔６５ａからできる限り外側に遠く離れた位置に設けられる。従って、軸ボス６５ｃを中心にしてレンズシャッター４１、４２、４３を小さい角度にて回転させても、開閉孔６５ａの開閉動作が可能になる。
【００５３】
図４を参照するに、レンズシャッター４１、４２、４３は、駆動ピン７１により連動されるように駆動ピン７１が挿通するカムスリット４１ｂ、４２ｂ、４３ｂを有する。レンズシャッター４１、４２、４３は、同じ形状及び大きさを有する。従って、駆動ピン７１が回転しながらカムスリット４１ｂ、４２ｂ、４３ｂに沿って移動すれば、個々のシャッター４１、４２、４３が同時に連動回転しながら開閉孔６５ａの開口、即ち、入射光の口径を調節するようになる。本実施例では、カムスリット４１ｂ、４２ｂ、４３ｂを直線状に所定の長さにて形成した。
【００５４】
直線状のカムスリット４１ｂ、４２ｂ、４３ｂは、回転子７０の回転角度を適宜制御することによりレンズシャッター４１、４２、４３の開閉量、即ち、入射光のＦナンバーを調節することができる。
【００５５】
また、図２を参照するに、絞り４０が第２のハウジング６５から分離されることを防止するために、第２のハウジング６５に取り外し自在に結合されるハウジングカバー８０がさらに備えられる。ハウジングカバー８０は、開閉孔６５ａに対応する中孔８１を有する。中孔８１の周囲にはガイドスリット６５ｂに対応するスリット８３が形成されている。無論、軸ボス６５ｃに対応する孔８５が複数個形成されている。ハウジングカバー８０の縁部に弾性変形可能に延設した係止部８７が第２のハウジング６５の外周壁に形成された係合孔６５ｄに係合する。
【００５６】
前記構成を有する本発明の実施例によるカメラ装置において絞り４０を含む絞り駆動装置を組み立てる過程について説明すれば、次の通りである。
【００５７】
まず、図２に示す固定子組立体５１を組み立てる。組み立てられた固定子組立体５１の内側に回転子７０を介在させる。図５Ａ及び図５Ｂを参照するに、固定子組立体５１の内周に回転子７０が当接せず、回転自在に挿入されている。即ち、回転子７０は、固定子組立体５１に支えられた状態ではない。従って、図６Ａ及び図６Ｂに示すように、第１及び第２のハウジング６１、６５をそれぞれ固定子組立体５１を囲うようにして組み合わせる。そうすれば、回転子７０の駆動ピン７１が第２のハウジング６５のガイドスリット６５ｂに嵌められて支えられる。そして、回転子７０の外周に設けられる軸受７８は、第１のハウジング６１に支えられる。図６Ａ及び図６Ｂに示すように、モータ５１が組み付けられれば、回転子７０がガイドスリット６５ｂの長さの分回転可能な状態になる。
【００５８】
モータ５０の組み付けが終われば、駆動ピン７１と軸ボス６５ｃにレンズシャッター４１、４２、４３が互いに一定の部分重なり合うように嵌めて組み付ける。
【００５９】
そして、第２のハウジング６５に組み付けられたレンズシャッター４１、４２、４３が分離されないように、図７に示すように、ハウジングカバー８０を第２のハウジング６５に組み付けていわゆる、絞り駆動装置１００の組立を完成する。
【００６０】
前記のようにして組み立てられた絞り駆動装置１００は、図１に示すように、レンズ鏡筒１０内に組み込まれる。レンズ鏡筒１０内の他の部品、即ち、ズームレンズモジュール２０とフォーカシングレンズモジュール３０等の組み付けは、既に知られている一連の過程を通じて行われる。
【００６１】
図４と図８Ａ及び図８Ｂを参照して、絞り４０の開閉動作を説明する。
【００６２】
図４は、絞り４０が完全に開放された状態を示す図である。即ち、レンズシャッター４１、４２、４３が開閉孔と重なり合わずに最大に開けられた状態を示す。図４の状態から、回転子７０を所定の角度回転させれば、図８Ａに示すように、レンズシャッター４１、４２、４３が同じ角度にて同時に回転することで開閉孔６５ａの一部を遮蔽する。
【００６３】
そして、回転子７０をさらに回転駆動させれば、図８Ｂに示すように、レンズシャッター４１、４２、４３が最大限に回転して開閉孔６５ａを完全に遮蔽する。図８Ｂの場合、レンズシャッター４１、４２、４３が互いに一部ずつ重なり合いながら開閉孔６５ａの中央に集まる。レンズシャッター４１、４２、４３は、回転子７０に突設された駆動ピン７１が回転しながら各カムスリット４１ｂ、４２ｂ、４３ｂを連動させる動作により駆動される。本実施例において、カムスリット４１ｂ、４２ｂ、４３ｂは、いずれも直線状に形成されているため、開閉孔６５ａの開放率、即ち、入射光のＦナンバー値を段階的に制御するためには、回転子７０の単位回転角が非線形的に制御される。
【実施例２】
【００６４】
本発明の他の実施例によれば、図９に示すように、レンズシャッター１４１、１４２、１４３は、少なくとも一部分が直線ではない区間を有するカムスリット１４１ｂ、１４２ｂ、１４３ｂを有する。カムスリット１４１ｂ、１４２ｂ、１４３ｂは、図１０に示すように、駆動ピン７１が一定の単位角度にて移動する時を基準にして、一定単位のＦナンバー値に到達できるように実験を通じて所定の形状を有するように決められる。従って、回転子７０を一定の回転角にて回転させれば、前記Ｆナンバーを予め設定された大きさにて制御することができる。従って、この第２の実施例の場合、レンズシャッター１４１、１４２、１４３の開閉量を容易に制御することができるという利点がある。
【産業上の利用可能性】
【００６５】
本発明の絞り駆動モータと、絞り駆動装置、及びカメラ装置は、絞りを有する撮像装置、例えば、カムコーダー、カメラのいずれにも適用可能である。
【図面の簡単な説明】
【００６６】
【図１】本発明の実施例によるカメラ装置を示す概略的な断面図である。
【図２】図１に示す絞り駆動装置だけを拡大して示す分離斜視図である。
【図３】図２に示す絞り駆動装置の組立断面図である。
【図４】図３に示す絞りがモータに結合された状態を示す平面図である。
【図５Ａ】図２に示す回転子が固定子組立体に組み付けられた状態を示す斜視図である。
【図５Ｂ】図２に示す回転子が固定子組立体に組み付けられた状態を示す斜視図である。
【図６Ａ】図２に示す回転子が固定子組立体に組み付けられた状態を示す斜視図である。
【図６Ｂ】図２に示す回転子が固定子組立体に組み付けられた状態を示す斜視図である。
【図７】図２に示す絞り駆動装置の組み立てられた状態を示す斜視図である。
【図８Ａ】図４の状態から絞り回転子に連動して動作する過程を段階的に示す平面図である。
【図８Ｂ】図４の状態から絞り回転子に連動して動作する過程を段階的に示す平面図である。
【図９】本発明の他の実施例による絞り駆動装置を概略的に示す平面図である。
【図１０】本発明の他の実施例による絞り駆動装置を概略的に示す平面図である。
【符号の説明】
【００６７】
１０  鏡筒
２０  ズームレンズモジュール
３０  フォーカシングレンズモジュール
４０  絞り
４１、４２、４３  レンズシャッター
５０  ステッピングモータ
６０  固定子組立体
７０  回転子
８０  カバー
【図１】
2005208647.tif 000003
【図２】
2005208647.tif 000004
【図３】
2005208647.tif 000005
【図４】
2005208647.tif 000006
【図５Ａ】
2005208647.tif 000007
【図５Ｂ】
2005208647.tif 000008
【図６Ａ】
2005208647.tif 000009
【図６Ｂ】
2005208647.tif 000010
【図７】
2005208647.tif 000011
【図８Ａ】
2005208647.tif 000012
【図８Ｂ】
2005208647.tif 000013
【図９】
2005208647.tif 000014
【図１０】
2005208647.tif 000015